(57)【要約】【課題】簡単な構成で、画像形成装置内で発生したミストによるリニアスケールの汚染を効果的に抑制することの可能な画像形成装置を提供する。【解決手段】ガイドロッド１１は、左側板９０と右側板９１に懸架されて、一端１１ａが開放され、他端１１ｂが閉塞された円筒状の中空構造を有し、一端１１ａから他端１１ｂまで中空部１１ｃを有し、ガイドロッド１１の外周部１１ｄには、中空部１１ｃと連通する複数の透孔１１ｅがガイドロッド１１の軸方向の所定間隔で形成されている。ガイドロッド１１の一端１１ａには、空気流発生手段であるファンモータ１６０が連結されており、ファンモータ１６０の回転駆動に伴い、中空部１１ｃ内の空気が吸引され、矢印Ｃで示すように、透孔１１ｅからその周辺の空気を吸引するようになっている。【選択図】図５
2009262492.tif 000002
【特許請求の範囲】
【請求項１】
記録液を吐出する記録ヘッドを搭載し主走査方向に往復移動するキャリッジと、当該キャリッジを前記主走査方向に案内するガイドロッドと、記録媒体を前記主走査方向と直交する副走査方向に搬送する搬送手段と、前記キャリッジの走査方向の前記記録媒体に印字しない非印字領域に前記記録ヘッドから排出される記録液を受ける空吐出受け部材とを備える画像形成装置において、
前記ガイドロッドは当該ガイドロッドの少なくとも一端まで延びる中空部を有し、かつ前記空吐出受け部材の周囲に配設される前記ガイドロッドの外周部に、前記中空部に連通する少なくとも１個の透孔を設け、前記ガイドロッドの一端の中空部に空気流発生手段を接続し、当該空気流発生手段によって、前記透孔から前記空吐出受け部材の周囲に発生する記録液ミストを吸引させることを特徴とする画像形成装置。
【請求項２】
請求項１記載の画像形成装置において、
前記透孔を、複数個有することを特徴とする画像形成装置。
【請求項３】
請求項１又は２記載の画像形成装置において、
前記空気流発生手段と、前記ガイドロッドの一端の中空部との間に前記記録液ミストを捕獲するフィルタを取り付けたことを特徴とする画像形成装置。
【請求項４】
請求項３記載の画像形成装置において、
前記フィルタは、着脱自在に取り付けられていることを特徴とする画像形成装置。
【請求項５】
記録液を吐出する記録ヘッドを搭載し主走査方向に往復移動するキャリッジと、当該キャリッジを前記主走査方向に案内するガイドロッドと、記録媒体を前記主走査方向と直交する副走査方向に搬送する搬送手段と、前記キャリッジの走査方向の前記記録媒体に印字しない非印字領域に前記記録ヘッドから排出される記録液を受ける空吐出受け部材と、前記キャリッジの走査方向に平行して設けられ、前記キャリッジの駆動制御を行うためのリニアスケールとを備える画像形成装置において、
前記ガイドロッドは当該ガイドロッドの少なくとも一端まで延びる中空部を有し、かつ前記リニアスケールの周囲に配設される前記ガイドロッドの外周部に、前記中空部に連通する複数の透孔を設け、前記ガイドロッドの一端の中空部に空気流発生手段を接続し、当該空気流発生手段によって、前記透孔から空気流を噴射して前記空吐出受け部材から発生する記録液ミストを前記リニアスケールから飛散させることを特徴とする画像形成装置。
【請求項６】
請求項５記載の画像形成装置において、
前記透孔は、所定間隔で形成されていることを特徴とする画像形成装置。
【請求項７】
請求項５又は６記載の画像形成装置において、
前記空気流発生手段と、前記ガイドロッドの一端の中空部との間に前記空気流発生手段で吸引される空気中の塵埃を捕獲するフィルタを取り付けたことを特徴とする画像形成装置。
【請求項８】
請求項７記載の画像形成装置において、
前記フィルタは、着脱自在に取り付けられていることを特徴とする画像形成装置。
【発明の詳細な説明】
【技術分野】
【０００１】
本発明は、画像形成装置に係り、記録液を吐出する記録ヘッドを搭載し主走査方向に往復移動するキャリッジを有する画像形成装置に関する。
【背景技術】
【０００２】
プリンタ、ファクシミリ、複写装置、これらの複合機等の画像形成装置として、例えば、記録液（液体）の液滴を吐出する液体吐出ヘッドで構成した記録ヘッドを画像形成手段として備え、記録媒体（以下「用紙」ともいうが材質を限定するものではなく、また、被記録媒体、記録媒体、転写材、記録紙なども同義で使用する。）を搬送しながら、液体としての記録液（以下、インクともいう。）を用紙に付着させて画像形成（記録、印刷、印写、印字も同義語で用いる。）を行なうものがある。なお、画像形成装置は、紙、糸、繊維、布帛、皮革、金属、プラスチック、ガラス、木材、セラミックス等の媒体に液体を吐出して画像形成を行う装置を意味し、また、「画像形成」とは、文字や図形等の意味を持つ画像を媒体に対して付与することだけでなく、パターン等の意味を持たない画像を媒体に付与することをも意味する。また、液体とは記録液、インクに限るものではなく、画像形成を行うことができる液体であれば特に限定されるものではない。
このような画像形成装置として、画像形成手段である液体吐出ヘッドをキャリッジに搭載し、液体吐出ヘッドを主走査方向に移動走査し、記録媒体を主走査方向と直交する副走査方向に間歇的に移動させながら、液体吐出ヘッドから液滴を吐出させて記録媒体に画像を形成するシリアル型画像形成装置が知られている。
【０００３】
このようなシリアル型画像形成装置においては、記録ヘッドの状態を維持、回復するために維持回復機構を備えている。この維持回復機構としては、例えば、記録ヘッドのノズル（吐出口）が形成された面（ノズル面）をキャッピングする保湿用キャップ或いは吸引用と保湿用を兼ねたキャップ部材と、記録ヘッドのノズル面を清掃する清掃部材（ワイパーブレード）などを備える。また、乾燥防止のためにノズル面をキャッピングした状態であっても、長時間吐出、吸引を行わないで放置されると、ノズル内の記録液が乾燥、増粘して、吐出不良を引き起こすので、画像形成動作に入る前に空吐出動作と言われる画像形成に寄与しない記録液の吐出が行われ、吐出された記録液を受ける空吐出受け部材も備えている。
ところで、このような空吐出動作を行った場合、ミストと称する微少な記録液粒子が発生し、この記録液粒子がヘッド面に付着すると、混色、不吐出による印字不良という問題となる。また、記録液粒子が装置本体内部に飛散し、キャリッジ等の駆動制御に用いられているリニアスケールに付着した場合には誤検出、誤動作の原因となる。従って、記録ヘッドあるいはリニアスケール近傍に浮遊するミストは回収又は排除することが望ましく、従来、例えば特許文献１に記載されているように、記録ヘッドのノズル面とほぼ同一面上に開口しミストの吸引経路となるフレキシブルダクトを設けた技術が知られている。
【特許文献１】特開２００５−２０５７６６公報
【発明の開示】
【発明が解決しようとする課題】
【０００４】
しかしながら、特許文献１記載のものでは、ミストを吸引するために設けた吸引（排出）経路の開口部を記録ヘッドのノズル近傍に配置した場合は、機外まで排出するためには長いフレキシブルダクトを必要とし、吸引（排出）経路が大型化、複雑化してしまうという問題があった。
本発明は、上記実情を考慮してなされたものであり、画像形成装置内で発生したミストを簡単な構成で効率的かつ簡易に除去することの可能な画像形成装置を提供することを目的とする。
また、本発明の他の目的は、簡単な構成で、画像形成装置内で発生したミストによるリニアスケールの汚染を効果的に抑制することの可能な画像形成装置を提供することである。
【課題を解決するための手段】
【０００５】
上記課題を解決するために、請求項１の発明は、記録液を吐出する記録ヘッドを搭載し主走査方向に往復移動するキャリッジと、当該キャリッジを前記主走査方向に案内するガイドロッドと、記録媒体を前記主走査方向と直交する副走査方向に搬送する搬送手段と、前記キャリッジの走査方向の前記記録媒体に印字しない非印字領域に前記記録ヘッドから排出される記録液を受ける空吐出受け部材とを備える画像形成装置において、前記ガイドロッドは当該ガイドロッドの少なくとも一端まで延びる中空部を有し、かつ前記空吐出受け部材の周囲に配設される前記ガイドロッドの外周部に、前記中空部に連通する少なくとも１個の透孔を設け、前記ガイドロッドの一端の中空部に空気流発生手段を接続し、当該空気流発生手段によって、前記透孔から前記空吐出受け部材の周囲に発生する記録液ミストを吸引させることを特徴とする。
また、請求項２の発明は、請求項１記載の画像形成装置において、前記透孔は、複数個有することを特徴とする。
また、請求項３の発明は、請求項１又は２記載の画像形成装置において、前記空気流発生手段と、前記ガイドロッドの一端の中空部との間に前記記録液ミストを捕獲するフィルタを取り付けたことを特徴とする。
また、請求項４の発明は、請求項３記載の画像形成装置において、前記フィルタは、着脱自在に取り付けられていることを特徴とする。
【０００６】
また、請求項５の発明は、記録液を吐出する記録ヘッドを搭載し主走査方向に往復移動するキャリッジと、当該キャリッジを前記主走査方向に案内するガイドロッドと、記録媒体を前記主走査方向と直交する副走査方向に搬送する搬送手段と、前記キャリッジの走査方向の前記記録媒体に印字しない非印字領域に前記記録ヘッドから排出される記録液を受ける空吐出受け部材と、前記キャリッジの走査方向に平行して設けられ、前記キャリッジの駆動制御を行うためのリニアスケールとを備える画像形成装置において、前記ガイドロッドは当該ガイドロッドの少なくとも一端まで延びる中空部を有し、かつ前記リニアスケールの周囲に配設される前記ガイドロッドの外周部に、前記中空部に連通する複数の透孔を設け、前記ガイドロッドの一端の中空部に空気流発生手段を接続し、当該空気流発生手段によって、前記透孔から空気流を噴射して前記空吐出受け部材から発生する記録液ミストを前記リニアスケールから飛散させることを特徴とする。
また、請求項６の発明は、請求項５記載の画像形成装置において、前記透孔は、所定間隔で形成されていることを特徴とする。
また、請求項７の発明は、請求項５又は６記載の画像形成装置において、前記空気流発生手段と、前記ガイドロッドの一端の中空部との間に前記空気流発生手段で吸引される空気中の塵埃を捕獲するフィルタを取り付けたことを特徴とする。
また、請求項８の発明は、請求項７記載の画像形成装置において、前記フィルタは、着脱自在に取り付けられていることを特徴とする。
【発明の効果】
【０００７】
本発明によれば、ガイドロッドは当該ガイドロッドの少なくとも一端まで延びる中空部を有し、かつ空吐出受け部材の周囲に配設される前記ガイドロッドの外周部に、前記中空部に連通する少なくとも１個の透孔を設け、前記ガイドロッドの一端の中空部に空気流発生手段を接続し、当該空気流発生手段によって、前記透孔から前記空吐出受け部材の周囲に発生する記録液ミストを吸引させることによって、画像形成装置内で発生したミストを簡単な構成で効率的かつ簡易に除去することの可能な画像形成装置を提供することができる。
また、本発明によれば、ガイドロッドは当該ガイドロッドの少なくとも一端まで延びる中空部を有し、かつリニアスケールの周囲に配設される前記ガイドロッドの外周部に、前記中空部に連通する複数の透孔を設け、前記ガイドロッドの一端の中空部に空気流発生手段を接続し、当該空気流発生手段によって、前記透孔から空気流を噴射して前記空吐出受け部材から発生する記録液ミストを前記リニアスケールから飛散させることによって、簡単な構成で、画像形成装置内で発生したミストによるリニアスケールの汚染を効果的に抑制することの可能な画像形成装置を提供することが可能となる。
【発明を実施するための最良の形態】
【０００８】
以下、図面を参照して、本発明の実施形態を詳細に説明する。
本発明による画像形成装置の一実施形態に係るインクジェット記録装置について図１〜図４に基づいて説明する。図１は、本実施形態に係るインクジェット記録装置の外形を示す斜視図である。図２は、図１に示すインクジェット記録装置の概略構成を示す断面図である。図３は、図１に示すインクジェット記録装置の印字部の上面図である。図４は、図１に示すインクジェット記録装置の維持回復装置の概略断面図である。
このインクジェット記録装置は、図１に示すように、装置本体１と、装置本体１に装着した用紙を装填するための給紙トレイ２と、装置本体１に装着され画像が記録（画像形成）された用紙をストックするための排紙トレイ３とを備えている。さらに、装置本体１の前カバー４の一端部側には、前カバー４から前方側に突き出し、上カバー５よりも低くなったカートリッジ装填部６を有し、このカートリッジ装填部６の上面に操作キーや表示器などの操作部７を配置している。カートリッジ装填部６には、液体補充手段としての液体保管用タンクであるメインタンク（以下、「インクカートリッジ」という。）１０が交換可能に装着され、また、開閉可能なインクカートリッジカバー８を有している。 
【０００９】
次に、この画像形成装置の機構部について図２及び図３を参照して説明する。図示しない左右の側板に横架したガイド部材であるガイドロッド１１とステー１２とでキャリッジ１３を主走査方向に摺動自在に保持し、図示しない主走査モータによって図３で矢示Ａ方向に移動走査する。 
このキャリッジ１３には、記録液（ここでは、インク）の液滴を吐出するための液体吐 出ヘッド（ここでは、インクジェットヘッド）からなる記録ヘッド１４の複数のノズルを主走査方向と交叉する方向に配列し、インク滴吐出方向を下方に向けて装着している。ここで、記録ヘッド１４としては、イエロー（Ｙ）、マゼンタ（Ｍ）、シアン（Ｃ）、ブラック（Ｋ）の各色のインク滴を吐出する液滴吐出ヘッドである独立した４個の液体吐出ヘッドを使用する構成としたり、各色のインク滴を吐出する複数のノズル列を有する１又は複数のヘッドを用いる構成とすることもできる。なお、色の数及び配列順序はこれに限るものではない。 
記録ヘッド１４を構成するインクジェットヘッドとしては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどを、インクを吐出するためのエネルギー発生手段として備えたものなどを使用できる。
また、キャリッジ１３には、記録ヘッド１４に各色のインクを供給するための各色の液体容器であるサブタンク１５を搭載している。このサブタンク１５にはインク供給チューブ１６を介して前述した各色のメインタンク（インクカートリッジ）１０からインクが補充供給される。ここで、メインタンク１０は、それぞれ各色に対応してシアン（Ｃ）、マゼンタ（Ｍ）、イエロー（Ｙ）、ブラック（Ｋ）の各色のインクを収容している。
【００１０】
また、サブタンク１５には内部に収容しているインク（記録液）が所定量以下になったこと（インクエンドになったこと）を検知するための検知電極を用いたインクエンドセンサを設け、サブタンク１５内がインクエンドになったときには対応するインクカートリッジ１０から当該色の記録液を補充供給し、インクカートリッジ１０からの補充供給動作を行ったにもかかわらず、サブタンク１５内のインクエンド状態が解消されないときには、インクカートリッジ１０もインクエンドになったものとして所要の処理を行う。本発明における「記録液がない」状態とはインクカートリッジ１０がインクエンドになった状態に対応する。また、インクエンドの状態はインクニアーエンドの状態を含むものとする。
一方、給紙トレイ２の用紙積載部（圧板）２１上に積載した用紙２２を給紙するための給紙部として、用紙積載部２１から用紙２２を１枚ずつ分離給送する給紙コロ２３に対向し、摩擦係数の大きな材質からなる分離パッド２４を備え、この分離パッド２４は給紙コロ２３側に付勢されている。 そして、この給紙部から給紙された用紙２２を記録ヘッド１４の下方側で搬送するための搬送部として、用紙２２を静電吸着して搬送するための搬送ベルト３１と、給紙部からガイド２５を介して送られる用紙２２を搬送ベルト３１との間で挟んで搬送するためのカウンタローラ３２と、略鉛直上方に送られる用紙２２を略９０°方向転換させて搬送ベルト３１上に倣わせるための搬送ガイド３３と、押さえ部材３４で搬送ベルト３１側に付勢された先端加圧コロ３５とを備えている。また、搬送ベルト３１表面を帯電させるための帯電手段である帯電ローラ３６を備えている。
【００１１】
ここで、搬送ベルト３１は、無端状ベルトであり、搬送ローラ３７とテンションローラ３８との間に掛け渡されて、図３のベルト搬送方向Ｂに周回するように構成している。帯電ローラ３６は、搬送ベルト３１の表層に接触し、搬送ベルト３１の回動に従動して回転するように配置され、加圧力として軸の両端に各２．５Ｎをかけている。そして、帯電ローラ３６に所定の電圧を印加することによって、搬送ベルト３１の表面を帯電して搬送ベルト３１上に用紙２２を静電吸着するようになっている。また、搬送ベルト３１の裏側には、記録ヘッド１４による印写領域に対応してガイド部材４１を配置している。
また、記録ヘッド１４で記録された用紙２２を排紙するための排紙部として、排紙ローラ５２及び排紙コロ５３とを備え、排紙ローラ５２の下方に排紙トレイ３を備えている。ここで、排紙ローラ５２と排紙コロ５３との間から排紙トレイ３までの高さは排紙トレイ３にストックできる量を多くするためにある程度高くしている。
また、記録ヘッド１４で記録された用紙２２を排紙するための排紙部として、搬送ベルト３１から用紙２２を分離するための分離爪５１と、排紙ローラ５２及び排紙コロ５３とを備え、排紙ローラ５２の下方に排紙トレイ３を備えている。ここで、排紙ローラ５２と排紙コロ５３との間から排紙トレイ３までの高さは排紙トレイ３にストックできる量を多くするためにある程度高くしている。また、装置本体１の背面部には両面給紙ユニット６１が着脱自在に装着されている。この両面給紙ユニット６１は搬送ベルト３１の逆方向回転で戻される用紙２２を取り込んで反転させて再度カウンタローラ３２と搬送ローラ３７との間に給紙する。また、この両面給紙ユニット６１の上面には手差し給紙部６２を設けている。
【００１２】
さらに、図３に示すように、印字部２０のキャリッジ１３の走査方向の一方の非印字領域Ｘには、インクを吐出する２個のヘッド面（ノズル面）１４ａ、１４ｂを有する記録ヘッド１４のノズルの状態を維持し、回復するための信頼性維持手段である維持回復機構７１を配置し、他方の非印字領域Ｙには空吐出受け部材８１を配置している。
維持回復機構７１には、記録ヘッド１４のノズル面１４ａ、１４ｂをキャッピングするためのキャッピング手段であるキャップ部材７２ａ、７２ｂと、ノズル面をワイピングするためのワイピング手段であるワイパーブレード７３などを備えている。そして、この維持回復機構７１の下側には図４に示すように、維持回復機構７１による維持、回復動作によって生じる廃インクを貯蔵する手段である廃液タンク１５０を配設し、この廃液タンク１５０のロート状の入口部１５０ａに吸引ポンプ１２０のチューブ１１９の排出側を臨ませている。廃液タンク１５０としては、内部に吸収体を持たない構成としているが、吸収体を設ける構成とすることもできる。
また、記録ヘッド１４が長時間吐出、吸引を行わないで放置されると、ノズル内のインク（記録液）が乾燥、増粘して、吐出不良を引き起こすので、画像形成動作に入る前に空吐出動作と言われる画像形成に寄与しないインクの吐出が行われる。この際、吐出されたインクを受けるための開口８１ａ、８１ｂを有する空吐出受け部材８１が備えられており、これらの開口８１ａ、８１ｂ内に吐出されたインクを受容するようになっている。このような空吐出動作を行った場合、記録液ミストと称する微少な記録液粒子が発生し、この記録液粒子がヘッド面に付着すると、混色、不吐出による印字不良という問題となる。また、記録液粒子が装置本体内部に飛散し、キャリッジ等の駆動制御に用いられているリニアスケールに付着した場合には誤検出、誤動作の原因となる。
【００１３】
本発明においては、このような空吐出動作に伴って発生する記録液ミストによる記録ヘッド面やリニアスケールの汚染を抑制しようとするものである。図５は、本発明による一実施形態に係るインクジェット記録装置の印字部の概略構成を示す断面図である。
この実施形態においては、空吐出動作によって発生する記録液ミストを、キャリッジ１３を案内するガイドロッド１１を利用して、吸引収集して、系外に排出しようとするものである。
ガイドロッド１１は、左側板９０と右側板９１に懸架されて、一端１１ａが開放され、他端１１ｂが閉塞された円筒状の中空構造を有し、一端１１ａから他端１１ｂまで中空部１１ｃを有している。また、ガイドロッド１１の外周部１１ｄには、中空部１１ｃと連通する複数の透孔１１ｅがガイドロッド１１の軸方向の所定間隔で形成されている。さらに、ガイドロッド１１の一端１１ａには、空気流発生手段であるファンモータ１６０が連結されており、ファンモータ１６０の回転駆動によるファンの回転に伴い、中空部１１ｃ内の空気が吸引され、矢印Ｃで示すように、透孔１１ｅからその周辺の空気を吸引するようになっている。従って、空吐出動作を行うことによって空吐出受け部材８１の周囲に発生した記録液ミストは、矢印Ｃで示す空気流に従ってガイドロッド１１の中空部１１ｃ内に吸引される。さらに、ガイドロッド１１の中空部１１ｃ内に吸引された記録液ミストは、ファンモータ１６０によって系外に排出される。その結果、印字部２０内の記録ヘッド１４のヘッド面１４ａ、１４ｂや、キャリッジ１３に近接してキャリッジ１３の走査方向に平行して設けられたリニアスケール１９の近傍に浮遊している記録液ミストを適切に吸引して記録液ミストの付着を適切に抑制することが可能となる。
この場合に、ファンモータ１６０は、ガイドロッド１１の一端１１ａだけでなく、ガイドロッド１１の他端１１ｂをも開放して開放された他端１１ｂにも取り付け、他端１１ｂから空気流を一端１１ａに向けて送風して、中空部１１ｃの吸引力を増加させることもできる。また、ガイドロッド１１の形状は、上記実施形態における円筒状のものに限らず、角筒状のものであっても良い。
【００１４】
また、本実施形態においては、ファンモータ１６０とガイドロッド１１の一端１１ａとの間には、フィルタ１６２が着脱自在に取り付けられており、このフィルタ１６２によって、記録液ミストを捕捉して記録液ミストが系外に排出されることを防止している。このように、フィルタ１６２がファンモータ１６０とガイドロッド１１の一端１１ａとの間に着脱自在に取り付けているので、フィルタ１６２を定期的に交換することでミストの濾過性能を維持することが出来る。
本実施形態においては、印刷部２０の周辺の浮遊記録液ミストを排除するために、ガイドロッド１１の外周部１１ｄに形成される透孔１１ｅを軸方向で所定間隔で配設しているが、空吐出受け部材８１近傍等のミスト発生の多い個所に少なくと１個あれば充分である。しかし、透孔１１ｅは、複数個配設されることが好ましく、この場合には、空吐出受け部材８１の周囲に、他の部分に比べ密に設けることが好ましい。また、透孔１１ｅの形状は円に限らず、長穴、小判穴、角穴でも良い。
以上のように、本実施形態に係るインクジェット記録装置においては、キャリッジ１３の搬送を案内するガイドロッド１１を利用して、ガイドロッド１１の外周部１１ｄに形成された透孔１１ｅから吸気して記録液ミストを系外に排出するようにしたので、ミスト発生個所である記録ヘッド近傍で効率的にミストを排除できる。さらに、キャリッジ１３を主走査方向に案内するガイドロッド１１が空気流経路を兼ねているため、大型かつ複雑な吸引経路部材を設ける必要が無く、部品点数を削減することができる。
【００１５】
次に、本発明による他の実施形態のインクジェット記録装置について、図６に基づいて説明する。図６は、本発明による他の実施形態に係るインクジェット記録装置の印字部の概略構成を示す断面図である。
この実施形態においては、ガイドロッド１１を空気流経路として利用する点は、上述の実施形態と同様であるが、ファンモータ１６０からはガイドロッド１１の中空部１１ｃ内に空気を流し込み、外周部１１ｄに形成された透孔１１ｅからリニアスケール１９に向かって空気を吹き付け、浮遊する記録液ミストがリニアスケール１９に付着することを抑制するようにしている。
即ち、ガイドロッド１１は、左側板９０と右側板９１に懸架されて、一端１１ａが開放され、他端１１ｂが閉塞された円筒状の中空構造を有し、一端１１ａから他端１１ｂまで中空部１１ｃを有している。また、ガイドロッド１１の外周部１１ｄには、中空部１１ｃと連通する複数の透孔１１ｅがガイドロッド１１の軸方向の所定間隔で形成されている。この場合に、透孔１１ｅは、リニアスケール１９に向かって近接するように、外周部１１ｄの上方に形成されている。さらに、一端１１ａには、空気流発生手段であるファンモータ１６０が連結されており、ファンモータ１６０の回転駆動に伴い、系外から空気を吸引して中空部１１ｃ内に送給され、矢印Ｄで示すように、透孔１１ｅからリニアスケール１９に向かって空気を吹き付けるようになっている。その結果、空吐出動作に伴って発生する浮遊記録液ミストがリニアスケール１９に付着することを抑制するようになっている。
【００１６】
この場合においてもファンモータ１６０とガイドロッド１１の一端１１ａとの間には、フィルタ１６２が着脱自在に取り付けられており、このフィルタ１６２によって、系外から吸引される塵埃等をろ過してクリーンな空気として中空部１１ｃ内に供給して、リニアスケール１９に塵埃等の付着を防止するようになっている。
以上のように、本実施形態に係るインクジェット記録装置においては、キャリッジ１３の搬送を案内するガイドロッド１１を利用して、ガイドロッド１１の外周部１１ｄに形成された透孔１１ｅから空気を噴射して記録液ミストがリニアスケール１９に付着することを抑制するようにしたので、記録液ミストによるリニアスケール１９の汚染が防止されてキャリッジ１３の駆動制御を適切に行うことが可能となる。さらに、キャリッジ１３を主走査方向に案内するガイドロッド１１が空気流経路を兼ねているため、大型かつ複雑な吸引経路部材を設ける必要が無く、部品点数を削減することができる。
【図面の簡単な説明】
【００１７】
【図１】本発明による一実施形態に係るインクジェット記録装置の外形を示す斜視図である。
【図２】図１に示すインクジェット記録装置の概略構成を示す断面図である。
【図３】図１に示すインクジェット記録装置の印字部の上面図である。
【図４】図１に示すインクジェット記録装置の維持回復装置の概略断面図である。
【図５】本発明による一実施形態に係るインクジェット記録装置の印字部の概略構成を示す断面図である。
【図６】本発明による他の実施形態に係るインクジェット記録装置の印字部の概略構成を示す断面図である。
【符号の説明】
【００１８】
１  装置本体、２  給紙トレイ、３  排紙トレイ、６  カートリッジ装填部、１０  メインタンク、１１  ガイドロッド、１１ａ  一端、１１ｂ  他端、１１ｃ  中空部、１１ｄ  外周部、１１ｅ  透孔、１３  キャリッジ、１４  記録ヘッド、１４ａ、１４ｂ  ヘッド面、１５  サブタンク、１９  リニアスケール、２０  印字部、２１  用紙積載部、２２  用紙、３１  搬送ベルト、７１  維持回復機構、７２ａ、７２ｂ  キャップ部材、８１  空吐出受け部材、８１ａ、８１ｂ  開口、１６０  ファンモータ、１６２  フィルタ
【図１】
2009262492.tif 000003
【図２】
2009262492.tif 000004
【図３】
2009262492.tif 000005
【図４】
2009262492.tif 000006
【図５】
2009262492.tif 000007
【図６】
2009262492.tif 000008